(57)【特許請求の範囲】
【請求項１】
給液口と接続された給液管に設けられ、開放状態で液状商品を通過させる制御弁と、
前記給液口の下方の所定位置に前記容器が位置された状態で操作されるノブと、
このノブが操作された状態で前記給液口から前記液状商品を供給可能とする給液弁と、
前記給液口の下方に通信領域を形成するように設けられたアンテナ用コイルと、
ＩＤタグを有した容器と、
前記アンテナ用コイルを通じて前記給液弁が開放したタイミングで前記ＩＤタグからタグ情報を読取る読取手段と、
この読取手段が読取ったタグ情報に基づいて前記制御弁を開放する制御手段とを備えたことを特徴とする液状商品供給装置。
【請求項２】
前記アンテナ用コイルは、前記給液口に中心軸が略一致するように設けられていることを特徴とする請求項１記載の液状商品供給装置。
【請求項３】
前記給液口は、異なる液状商品を供給する複数の給液管が接続され、上記給液管に設けられた前記制御弁の開放に応じて所定の液状商品を供給可能に構成され、
前記ＩＤタグは、供給すべき液状商品の種別情報が記憶され、
前記制御手段は、前記読取手段が前記ＩＤタグから読取った種別情報に基づいて前記制御弁を開放することを特徴とする請求項または２記載の液状商品供給装置。
【請求項４】
前記ＩＤタグは液状商品の供給可能回数が記憶され、
前記読取手段は、前記ＩＤタグから供給可能回数を読取ったときは、前記ＩＤタグに記憶されている供給可能回数を１だけ減算し、
前記制御手段は、前記読取手段が前記ＩＤタグから読取った供給可能回数が零となったときは前記制御弁に対する開放を中止することを特徴とする請求項１乃至３の何れか１項に記載の液状商品供給装置。
【請求項５】
前記給液管は導電性金属からなり、
前記アンテナ用コイルと前記読取手段とを接続するケーブルは前記給液管内に配設されていることを特徴とする請求項１乃至４の何れか１項に記載の液状商品供給装置。
【請求項６】
前記アンテナ用コイルに対応して設けられ、前記読取手段により選択された状態で前記読取手段による前記アンテナ用コイルに対するアクセスを許可する選択手段を備え、
前記読取手段は、所定のアンテナ用コイルにアクセスするときは当該アンテナ用コイルに対応して設けられた選択手段を選択した状態でアクセスすることを特徴とする請求項１乃至５の何れか１項に記載の液状商品供給装置。
【請求項７】
前記液状商品として湯が設定されていることを特徴とする請求項１乃至６の何れか１項に記載の液状商品供給装置。
【請求項８】
前記液状商品として湯及び水が設定されていることを特徴とする請求項３乃至６の何れか１項に記載の液状商品供給装置。
【発明の詳細な説明】
【０００１】
【発明の属する技術分野】
本発明は、容器が有するＩＤタグを利用して液状商品を供給する液状商品供給装置に関する。
【０００２】
【従来の技術】
例えば、回転すし店においては、客が着座するテーブルの前面に給湯口を設け、客が湯のみ茶碗を差出して給湯口の下方に設けられたノブを押圧操作したときは、給湯口から湯のみ茶碗に湯を供給するようにしている。従って、湯のみ茶碗にお茶のパックを入れた状態で湯の供給を受けることにより、客はお茶を飲むことができる。
【０００３】
【発明が解決しようとする課題】
しかしながら、このような構成では、幼年者がノブを手で誤って押圧操作したときは、給湯口から吐出した湯が手にかかって火傷を負う危険性がある。また、耐熱性の低いガラスコップに湯を供給したときは、ガラスコップが破損する虞がある。
また、給湯口からは湯しか供給できないので、客が水を飲みたい場合は、給水機まで一々出向く必要があり、使い勝手が悪かった。
【０００４】
一方、ファーストフード店においては、所定金額を支払った客に対してジュースを飲み放題とする店があるものの、ジュースの供給回数を制限して料金を安く設定した方が客にとっても店にとっても利便性がよい場合がある。
【０００５】
本発明は上記事情に鑑みてなされたもので、その目的は、不必要に液状商品が供給されてしまうことを防止することができると共に、客の所望する種別の液状商品を供給することができ、さらには利便性を高めることができる液状商品供給装置を提供することにある。
【０００６】
【課題を解決するための手段】
請求項１の発明によれば、給液口の下方に容器を位置すると、容器が有するＩＤタグがアンテナ用コイルの通信領域に位置する。
【０００７】
すると、ノブが操作されるので、給液弁が開放して液状商品を供給可能な状態となる。このとき、読取手段は、給液弁が開放したタイミングでＩＤタグからタグ情報を読取って制御弁を開放するので、給液口から液状商品を容器に確実に供給することができる。
【０００８】
請求項２の発明によれば、アンテナ用コイルは、供給口に中心軸が略一致するように設けられているので、アンテナ用コイルの通信領域に容器が精度よく位置し、アンテナ用コイルによりＩＤタグからのタグ情報の読取りを確実に行うことができる。
【０００９】
請求項３の発明によれば、容器を給液口の下方に位置させると、読取手段は、ＩＤタグから液状商品の種別情報を読取る。すると、制御手段は、読取った種別情報に基づいて制御弁を開放するので、給液管を通じて給液口から所定の液状商品が供給される。これにより、容器を給液口の下方に位置させるだけで、所望の液状商品の供給を受けることができる。
【００１０】
請求項４の発明によれば、読取手段は、ＩＤタグから液状商品の供給可能回数を読取ったときは、ＩＤタグに記憶されている供給可能回数を１だけ減算する。そして、供給可能回数だけの液状商品の供給を受けることによりＩＤタグに記憶されている供給可能回数が零となったときは、制御手段は、制御弁に対する開放を中止する。これにより、液状商品の供給回数を制限することができる。
【００１１】
請求項５の発明によれば、アンテナ用コイルと読取手段とを接続するケーブルは導電性金属からなる給液管内に配設されているので、給液管が電磁シールドとして機能し、アンテナ用コイルと読取手段との間の通信がノイズの影響により支障を生じることを防止できる。
【００１２】
請求項６の発明によれば、読取手段は、所定のアンテナ用コイルにアクセスするときは、所定のアンテナ用コイルに対応して設けられた選択手段を選択する。このとき、選択手段は読取手段により選択された状態では、読取手段によるアンテナ用コイルに対するアクセスを許可するので、読取手段は所定のアンテナ用コイルにアクセスしてＩＤタグと通信することができる。従って、１つの読取手段により複数のアンテナ用コイルを管理することができるので、コストを低減することができる。
【００１３】
【発明の実施の形態】
（第１の実施の形態）
以下、本発明を回転すし店に適用した第１の実施の形態を図１乃至図５を参照して説明する。ここで、回転すし店とは、次のような販売システムの店である。図２はすしの販売システムを概略的に示している。この図２において、店内にはループ状のコンベア１が設けられ、そのコンベア１に沿ってテーブル２および客席３が設けられている。すしは皿４に載せられ、コンベア１によって客席３に沿って運ばれる。客は、コンベア１によって運ばれてくる皿４のうちから、好みのすしが載せられている皿４を取り、食べ終えた後の皿４は順にテーブル２上に重ね置いていく。店側では、すしをその売値に応じた色或いは模様の皿に載せるので、客は、重ね置いた皿４と枚数とから店に支払うべきおおよその金額を知ることができるようになっている。食事を終えた後は、店員によって皿の枚数が色或いは模様別に数えられ、店に支払うべき金額が決定される。
【００１４】
ここで、テーブル２の前方には給湯口５が客席に対応して設けられており、湯のみを差出して給湯口５から湯の供給を受けることによりお茶を飲むことができるようになっている。
【００１５】
図１は給湯口５に湯を供給するための給湯装置の側面を概略的に示している。この図１において、コンベア１を支持する支持体６の前面には給湯口（給液口に相当）５が設けられており、その給湯口５に給湯管（給液管に相当）７が連結されていると共に当該給湯管７に制御弁８が設けられている。この制御弁８は、リーダライタ（読取手段、制御手段に相当）９からの指令に応じて開放されるようになっており、その開放状態で給湯管７を通じて湯が給湯口５側に供給されるようになっている。
【００１６】
一方、支持体６の前面において給湯口５の下方となる位置にはノブ１０が設けられていると共に、給湯口５と制御弁８との間には給湯弁（給液弁に相当）１１が設けられており、ノブ１０が押圧された状態で給湯弁１１が開放するようになっている。この給湯弁１１には図示しない給液スイッチが設けられており、給湯弁１１が開放した状態で給液スイッチがオンしてリーダライタ９にオン信号が与えられる。
【００１７】
ここで、給湯口５にはアンテナ用コイル１２が装着されている。このアンテナ用コイル１２は、コイル１２ａを容器１２ｂに収納してなり、その中心軸は給湯口５の中心軸に略一致している。また、アンテナ用コイル１２はケーブル１３を通じてリーダライタ９と接続されており、リーダライタ９から電力用信号が与えられた状態で高周波の電力用信号を送信する。この場合、アンテナ用コイル１２とリーダライタ９とを接続するケーブル１３は給湯管７内に配設されている。
【００１８】
また、給湯口５から供給された湯を受けるための湯のみ茶碗（容器に相当）１４の底面にはＩＤタグ１５が装着されており、湯のみ茶碗１４が給湯口５の下方に位置された状態でＩＤタグ１５がアンテナ用コイル１２の通信領域に位置するようになっている。
【００１９】
図３はＩＤタグ１５の電気的構成を概略的に示している。この図３において、このＩＤタグ１５は、電波信号を送受信するためのアンテナ用コイル１６と、共振コンデンサ１７と、制御用ＩＣ１８と、平滑部１９とから構成され、共振コンデンサ１７、制御用ＩＣ１８および平滑部１９はプリント配線基板２０上に搭載されている。
【００２０】
上記制御用ＩＣ１８は、制御部としてのＭＰＵ（マイクロプロセッサユニット）２１の他、整流部２２、変復調部２３、メモリ部２４などを構成する半導体素子をワンチップ化したものである。また、平滑部１９は、図示はしないが平滑コンデンサ、ツェナーダイオードなどを有している。
【００２１】
そして、上記アンテナ用コイル１６は、共振コンデンサ１７と並列に接続されて共振回路２５を構成し、リーダライタ９から所定の高周波数の電力用電波信号が送信されてくると、これを受信して整流部２２に送信する。整流部２２は、平滑部１９と共に動作用電源回路を構成するもので、共振回路２５から送信されてきた電力用電波信号を整流し、平滑部１９により平滑化し且つ一定電圧の直流電力（動作用電力）にしてＭＰＵ２１などに供給する。
【００２２】
リーダライタ９から送信されてくるデータなどの信号は、電力用電波信号に重畳して送信されるようになっており、その信号は、変復調部２３により復調されてＭＰＵ２１に与えられる。ＭＰＵ２１は、メモリ部２４が有するＲＯＭに記憶された動作プログラムに従って動作するもので、変復調部２３から入力される信号に応じた処理を実行し、受信したデータをメモリ部２４が有するＥＥＰＲＯＭなどの消去可能な不揮発性メモリに書き込んだり、メモリ部２４からデータを読み出して変復調部２３により変調し、アンテナ用コイル１６から電波信号として送信したりする。この場合、ＥＥＰＲＯＭには、図４に示すようにＩＤ番号及び給湯を許可していることを示すタグ情報が記憶されている。
【００２３】
リーダライタ９は、ＩＤタグ１５との通信を行う際には、キャリア信号を変調して電力用電波信号としてアンテナ用コイル１２から送信し、その後、送信すべきデータを電力用電波信号に重畳するように変調してアンテナ用コイル１２に送信する。この場合、リーダライタ９は、ＩＤタグ１５からタグ情報を読取り、タグ情報が給湯を許可していることを示していたときは制御弁８を開放するようになっている。
【００２４】
次に上記構成の作用について説明する。
図５はリーダライタ９の動作を示すフローチャートである。この図５において、リーダライタ９は、給湯弁１１に設けられた給液スイッチがオンしたかを判断している（Ｓ１０１）。
【００２５】
さて、客がお茶を飲むために、湯のみ茶碗１４にお茶のパックを入れてノブ１０を押圧すると、リーダライタ９は、給湯弁１１が開放したことに応じてアンテナ用コイル１２を通じて湯のみ茶碗１４に装着されているＩＤタグ１５からタグ情報の読取り動作を実行し（Ｓ１０２）、読取り可能かを判断する（Ｓ１０３）。この場合、ＩＤタグ１５から読取ったＩＤタグ情報は給湯を許可していることを示しているので（Ｓ１０３：ＹＥＳ）、制御弁８を開放する（Ｓ１０５）。このとき、給湯弁１１はノブ１０に対する押圧操作に応じて開放しているので、給湯口５から湯が湯のみ茶碗１４に供給される。
【００２６】
そして、湯のみ茶碗１４に適量の湯が供給されると、客は、湯のみ茶碗１４をノブ１０から離すので、給湯弁１１が閉鎖する。これにより、給湯が停止すると同時に、ＩＤタグ１５からの読取りが不可能となったことに応じて（Ｓ１０６：ＮＯ）、リーダライタ９は制御弁８を閉鎖する（Ｓ１０７）。従って、客は、湯のみ茶碗１４のお茶を飲むことができる。
【００２７】
ところで、幼年者がノブ１０を手で誤って押圧操作したとき、或いは耐熱性の低いガラスコップでノブ１０を押圧操作したときは、本実施の形態では、次のように給湯口５から湯が吐出してしまうことを防止するようにした。
【００２８】
即ち、ノブ１０が押圧操作されたときは、給液スイッチがオンするので、リーダライタ９はアンテナ用コイル１２を通じてＩＤタグ１５からタグ情報を読取ろうとする（Ｓ１０３）。
【００２９】
しかしながら、ＩＤタグ１５は存在せず、ＩＤタグ１５からのタグ情報の読取りに失敗するので（Ｓ１０３：ＮＯ）、リーダライタ９は、制御弁８を開放することはなく、制御弁８の閉鎖状態が継続する。この結果、ノブ１０の押圧操作に応じて給湯弁１１が開放するにしても、制御弁８を通じた湯の供給が禁止されているので、給湯口５から湯が吐出してしまうことはない。
【００３０】
このような本実施の形態によれば、給湯口５にアンテナ用コイル１２を設け、ノブ１０に対する操作に応じてアンテナ用コイル１２を通じて湯のみ茶碗１４に装着されたＩＤタグ１５からタグ情報を読取り、給湯口５の下方に湯のみ茶碗１４が存在することを確認した場合のみに給湯口５から給湯するようにしたので、湯のみ茶碗１４以外でノブ１０が押圧操作されるにしても、給湯口５から湯を吐出してしまうことはない。従って、ノブが操作されたときは給湯口から湯を吐出してしまう従来のものと違って、幼年者がノブ１０を誤って押圧操作したり、耐熱性の低いガラスコップでノブ１０を押圧操作した場合であっても、火傷を負ったり、ガラスコップが割れてしまうという不具合を防止できる。
【００３１】
また、アンテナ用コイル１２を給湯口５と略同一軸となるように配設したので、給湯口５の真下に位置する湯のみ茶碗１４に装着されたＩＤタグ１５からタグ情報を確実に読取ることができる。
【００３２】
さらに、アンテナ用コイル１２のケーブル１３を給湯管７内に配線するようにしたので、給湯管７が電磁シールドとして機能するようになり、耐ノイズ性を高めることができる。
【００３３】
（第２の実施の形態）
次に本発明の第２の実施の形態を図６乃至図８を参照して説明するに、第１の実施の形態と同一部分には同一符号を付して説明を省略すると共に、同一ステップには同一ステップ番号を付し、異なる部分について説明する。この第２の実施の形態は、給湯口５から湯に加えて水を吐出するように構成されていることを特徴とする。
【００３４】
給湯装置を概略的に示す図６において、給湯口５はに給湯管７に加えて給水管３１が連結されており、その給水管３１にリーダライタ９により開閉制御される制御弁３２が設けられている。
【００３５】
この実施の形態では、湯のみ茶碗１４に加えて、図示しないガラスコップの底にもＩＤタグ１５が装着されている。この場合、湯のみ茶碗１４及びガラスコップに装着されたＩＤタグ１５には、図７に示すようにＩＤ番号及び供給飲料の種別を示す種別情報が記憶されている。
【００３６】
リーダライタ９は、給液スイッチがオンすることに応じてＩＤタグ１５からタグ情報を読取ったときは、タグ情報に基づいて飲料の種別を判断し、判断した結果に応じて制御弁８，３２の開閉を制御するようになっている。
【００３７】
即ち、リーダライタ９の動作を示す図８において、客が湯のみ茶碗１４でノブ１０を押圧操作すると、リーダライタ９は、給液スイッチがオンするのに応じてアンテナ用コイル１２を通じてＩＤタグ１５からタグ情報を読取る。この場合、ＩＤタグ１５にはタグ情報として湯の供給を許可する情報が記憶されているので、リーダライタ９は、第１の実施の形態と同様に給湯管７に設けられている制御弁８を開放する（Ｓ１０１〜Ｓ１０７）。これにより、客は湯のみ茶碗１４に湯の供給を受けてお茶を飲むことができる。
【００３８】
また、客がガラスコップでノブ１０を押圧操作することにより、ＩＤタグ１５からタグ情報として水の供給を許可する情報を読取ったときは（Ｓ２０１：ＹＥＳ）、タグ情報の読取り可能な期間だけ給水管３１に設けられている制御弁３２を開放する（Ｓ２０２〜Ｓ２０４）。これにより、客はガラスコップに水の供給を受けて飲むことができる。
【００３９】
従って、客は、差出した容器の種別に応じて給湯口５から湯または水の供給を自動的に受けることができる。
【００４０】
この第２の実施の形態によれば、給湯口５に給湯管７及び給水管３１を連結し、客が差出した容器に装着されたＩＤタグ１５に記憶されたタグ情報に基づいて所定の種別の飲料を自動的に供給するようにしたので、客は飲料の種別を選択することなく飲料の供給を受けることができ、使い勝手が優れている。
この場合、ノブ１０を手で押圧操作しただけでは、給湯口５から飲料が供給されないのは第１の実施の形態と同様である。
【００４１】
（第３の実施の形態）
次に本発明の第３の実施の形態を図９及び図１０を参照して説明する。この第３の実施の形態は、１台のリーダライタ９で複数のアンテナ用コイル１２を管理することを特徴とする。
【００４２】
給湯装置を概略的に示す図９において、給湯口５と連結された給湯管７に設けられた各制御弁８はリーダライタ９と接続されている。ここで、図１０に示すようにアンテナ用コイル１２には選択装置（選択手段に相当）４１が一体に設けられており、この選択装置４１は、ケーブル１３によりリーダライタ９とシリアル接続されている。また、この選択装置４１は固有のアドレスを有しており、リーダライタ９から与えられたアドレスが自己の固有のアドレスと一致したときは、リーダライタ９によるアンテナ用コイル１２に対するアクセスを許可するようになっている。
【００４３】
リーダライタ９は、所定の選択装置４１のアドレスを順に出力することにより当該選択装置４１に対応して設けられたアンテナ用コイル１２に対して順にアクセスするようになっている。
【００４４】
この第３の実施の形態によれば、１台のリーダライタ９により複数のアンテナ用コイル１２にアクセスしてＩＤタグ１５からタグ情報を読取ることができるので、上記第１，第２の実施の形態のものに比較して、リーダライタ９を削減してコストの低減を図ることができる。
【００４５】
また、各アンテナ用コイル１２とはシリアル通信を行うようにしたので、給湯管７内に配設したケーブル１３をシリアル接続することができ、各アンテナ用コイル１２とパラレル通信を行う構成と比較して、アンテナ用コイル１２の数が増加するにしても給湯管７内に配設するケーブル１３の数が増加することはなく、給湯管７の給湯量が低下することはない。
【００４６】
（第４の実施の形態）
次に本発明を飲料供給装置に適用した第４の実施の形態を図１１及び図１２を参照して説明する。この第４の実施の形態は、飲料の供給回数を制限したことを特徴とする。尚、本実施の形態の飲料供給装置は例えばファーストフード店に設置されるものであり、所定の飲料代金を支払った客は、自分用の特定の飲料容器を使用することにより飲料の提供を受けることができるシステムとなっている。尚、自分用の特定の飲料容器は、店に預けることが可能となっている。
【００４７】
図１１はＩＤタグに記憶されたタグ情報を示している。この図１１において、ＩＤタグ１５には、ＩＤ番号、供給飲料の種別（牛乳かオレンジジュース）、供給可能回数及び有効期限が記憶されている。この場合、供給可能回数とは、客が飲料の供給を受けることができる回数であり、所定回数分の飲料の代金を支払った客が所望の飲料を所定回数（例えば１０回）だけ飲むことができるようなシステムとなっている。
【００４８】
リーダライタ９の動作を示す図１２において、リーダライタ９は、ＩＤタグ１５からタグ情報を読取ったときは（Ｓ１０１〜Ｓ１０３）、タグ情報に基づいて供給可能回数が零でないことを確認してから（Ｓ３０１：ＹＥＳ）、飲料の種別を判断する（Ｓ３０２、Ｓ３０３）。このとき、飲料の種別がオレンジジュースであったときは（Ｓ３０３：ＹＥＳ）、オレンジジュース供給用の制御弁８を開放することによりオレンジジュースを供給する（Ｓ３０４）。このとき、リーダライタ９は、ＩＤタグ１５からのタグ情報の読取りができなくなって（Ｓ３０５：ＮＯ）、オレンジジュース供給用の制御弁８を閉鎖したときは（Ｓ３０６）、読取った供給可能回数から１を減算し（Ｓ３０７）、その値をＩＤタグ１５に書込む（Ｓ３０８）。従って、客がオレンジジュースを２杯飲んだときは、ＩＤタグ１５には「８」が記憶されることになり、次の来店時には、オレンジジュースを８杯飲むことができる。
【００４９】
そして、次に来店した客がオレンジジュースを合計１０回飲んだときは、ＩＤタグ１５に記憶されている供給可能回数は零となるので、次の時点においてリーダライタ９がＩＤタグ１５から読取った供給可能回数は零となり、リーダライタ９は、供給不可能であると判断し（Ｓ３０１：ＮＯ）、制御弁８を開放することはなく制御弁８の閉鎖状態が継続する。
【００５０】
このような制御は牛乳においても同様に行われる（Ｓ３０９〜Ｓ３１３）。  従って、客が所定回数の飲料の供給を受けたときは、それ以上の飲料の供給を受けることはできなくなるので、客に対する飲料の供給回数を制限することができる。
尚、供給可能回数が零でない場合であっても、有効期限が過ぎた場合は、リーダライタ９は、制御弁８を開放することはない。
【００５１】
この第４の実施の形態によれば、ＩＤタグ１５に飲料の供給可能回数を記憶し、その供給可能回数が零となったときは、飲料の供給を中止するようにしたので、客に対する飲料の供給回数を制限することができ、客のニーズに応じた種々のサービスを提供することができ、利便性を高めることができる。
【００５２】
本発明は、上記実施の形態に限定されるものではなく、次のように変形または拡張できる。
アンテナ用コイル１２を給湯口５の下方に位置するテーブル２に設けるようにしてもよい。
ノブ１０及び給湯弁１１を省略し、リーダライタ９がＩＤタグ１５から飲料の供給可能を示すタグ情報を読取ったときは、制御弁８を一定時間開放することにより一定量の飲料を供給するようにしてもよい。
供給する飲料の種別は、２種類に限定されることなく、３種類以上としてもよい。
また、家庭用の給湯機として応用しもよい。小さな子供が誤って給湯スイッチを操作しても、出湯を防止することが可能となる。
【図面の簡単な説明】
【図１】本発明の第１の実施の形態における給湯装置を概略的に示す縦断面図
【図２】回転すしシステムの平面図
【図３】ＩＤタグの電気的構成を示す概略図
【図４】ＩＤタグに記憶されたタグ情報を示す図
【図５】リーダライタの動作を示すフローチャート
【図６】本発明の第２の実施の形態を示す図１相当図
【図７】図４相当図
【図８】図５相当図
【図９】本発明の第３の実施の形態を示す図１相当図
【図１０】アンテナ用コイルを概略的に示す横断面図
【図１１】本発明の第４の実施の形態を示す図４相当図
【図１２】図５相当図
【符号の説明】
５は給湯口（給液口）、７は給湯管（給液管）、９はリーダライタ（読取手段、制御手段）、１０はノブ、１１は給湯弁（給液弁）、１２はアンテナ用コイル、１３はケーブル、１４は湯のみ茶碗（容器）、１５はＩＤタグ、３１は給水管（給液管）、４１は選択装置（選択手段）である。
【図１】
0003575361.tif 000002
【図２】
0003575361.tif 000003
【図３】
0003575361.tif 000004
【図４】
0003575361.tif 000005
【図５】
0003575361.tif 000006
【図６】
0003575361.tif 000007
【図７】
0003575361.tif 000008
【図８】
0003575361.tif 000009
【図９】
0003575361.tif 000010
【図１０】
0003575361.tif 000011
【図１１】
0003575361.tif 000012
【図１２】
0003575361.tif 000013